(57)【要約】【課題】  ガスバーナへの点火操作を行なう点火操作部と、前記点火操作に連動してガスバーナへ火花を放電させるイグナイタと、音声ガイドや報知音を出力するスピーカとを備えたガスコンロに於いて、イグナイタの作動時に生じる電気ノイズの影響がスピーカに伝わらないようにし、これにより、スピーカからの異音の発生や音声ガイドの途切れ等が生じないようにする。【解決手段】  前記イグナイタの作動時に、前記スピーカへの音声信号を増幅する為の音声増幅回路用の電源をＯＦＦにする。【選択図】  図３
2006078141.tif 000002
【特許請求の範囲】
【請求項１】
ガスバーナの点火操作を行なう点火操作部と、
前記点火操作に連動してガスバーナへ火花放電させる為のイグナイタと、
音声ガイドや報知音を出力するスピーカとを備えた音声ガイド機能付きガスコンロに於いて、
前記イグナイタの作動時に、前記スピーカへの音声信号を増幅する為の音声増幅回路用の電源をＯＦＦにする、音声ガイド機能付きガスコンロ。
【請求項２】
ガスバーナへの点火操作を行なう点火操作部と、
前記点火操作に連動してガスバーナへ火花放電させるイグナイタと、
音声ガイドや報知音を出力するスピーカとを備えた音声ガイド機能付きガスコンロに於いて、
前記イグナイタの作動時に、前記音声増幅回路から前記スピーカに繋がる回路又はスピーカからアースに繋がる回路を遮断する、音声ガイド機能付きガスコンロ。
【請求項３】
請求項１又は請求項２に記載の音声ガイド機能付きガスコンロに於いて、
前記点火操作部で点火操作がされたときには、前記スピーカからの音声出力又は報知音の出力が終了するまで前記イグナイタの作動を遅延させる、音声ガイド機能付きガスコンロ。
【請求項４】
請求項１又は請求項２に記載の音声ガイド機能付きガスコンロに於いて、
前記点火操作部で点火操作がされたときは、前記スピーカで出力中の音声ガイド又は報知音を、前記イグナイタの作動が終了した後に前記スピーカから出力する、音声ガイド機能付きガスコンロ。
【請求項５】
請求項１又は請求項２に記載の音声ガイド機能付きガスコンロに於いて、
前記イグナイタの作動中に作動する圧電ブザーを具備させた、音声ガイド機能付きガスコンロ。
【発明の詳細な説明】
【技術分野】
【０００１】
本発明は、音声ガイド機能付きガスコンロ、特に、ガスバーナへの点火時にスピーカから異音が生じるのを防止したガスコンロに関するものである。
【背景技術】
【０００２】
音声ガイド機能付きのガスコンロとして、例えば特開２００４−２０５１７７号公報に開示された、炊飯機能付きガスコンロがある。
このものでは、炊飯制御を適正に進行させるため、炊飯スイッチが操作されたときには、ガスバーナの火力調節用の手動の火力調節レバーを中火位置にセットすることを指示する音声ガイドがスピーカから出力される。
これにより、中火で炊飯することを前提に作成された炊飯制御プログラムにより適正な炊飯動作が実行され、食味の良好な米飯が炊き上がる。
【特許文献１】特開２００４−２０５１７７号公報
【特許文献２】特開平１０−２３２０５２号公報
【発明の開示】
【発明が解決しようとする課題】
【０００３】
しかしながら、上記従来のものでは、点火操作がされると、ガスバーナへ点火用の火花放電を行なうためにイグナイタに高電圧が生じ、このときに発生する電気ノイズがスピーカ用の音声増幅回路で増幅されて該スピーカから異音が生じるという問題があった。
又、前記スピーカは前述の火力調節レバーの操作を指示する音声ガイド以外にも、調理完了の報知等の種々の音声ガイドを出力するが、この音声ガイド中にコンロ本体に設けられたグリル装置や他のガスバーナへの点火操作がされて前記電気ノイズが発生すると、音声ガイドが部分的に途切れる等の不都合が生じる。これは、前記電気ノイズによって、音声ＩＣ（音声データを格納したＩＣ回路）から音声データがアドレス順に読み出されないことに基づくものと考えられる。
【０００４】
本発明は係る点に鑑みて成されたもので、
『ガスバーナの点火操作を行なう点火操作部と、
前記点火操作に連動してガスバーナへ火花放電させる為のイグナイタと、
音声ガイドや報知音を出力するスピーカとを備えたガスコンロ』に於いて、イグナイタの作動時に生じる電気ノイズの影響がスピーカに伝達されないようにし、これにより、スピーカからの異音の発生や音声ガイドの途切れ等が生じないようにすることをその課題とする。
【課題を解決するための手段】
【０００５】
［請求項１に係る発明]
上記課題を解決するための請求項１に係る発明の技術的手段は、
『前記イグナイタの作動時に、前記スピーカへの音声信号を増幅する為の音声増幅回路用の電源をＯＦＦにする』ことである。
上記技術的手段によれば、イグナイタの作動時に音声増幅回路用の電源がＯＦＦされるから、イグナイタの作動時に生じる電気ノイズが増幅されることがなく、スピーカから異音が生じることがない。又、音声増幅回路用の電源がＯＦＦされてスピーカから増幅された音声が発生しないから、音声ガイドが部分的に途切れるような不都合もない。
【０００６】
［請求項２に係る発明］
上記課題を解決するための請求項２に係る発明の技術的手段は、
『前記イグナイタの作動時に、前記音声増幅回路から前記スピーカに繋がる回路又はスピーカからアースに繋がる回路を遮断する』ことである。
このものでは、電気ノイズが音声増幅回路で増幅されても、これがスピーカに伝達されず、異音の発生や音声ガイドの途切れ等の不都合が生じない。
【０００７】
［請求項３に係る発明］
請求項１又は２に係る発明に於いて、
『前記点火操作部で点火操作がされたときには、前記スピーカからの音声出力又は報知音の出力が終了するまで前記イグナイタの作動を遅延させる』ものでは、スピーカから音声等の出力が終了するまで前記イグナイタの作動が遅延される。従って、重要度の高い音声ガイドや報知音が消失する不都合がない。
【０００８】
［請求項４に係る発明］
請求項１又は２に係る発明に於いて、
『前記点火操作部で点火操作がされたときは、前記スピーカで出力中の音声ガイド又は報知音を、前記イグナイタの作動が終了した後に前記スピーカから出力する』ものでは、イグナイタの作動が音声ガイド等に優先するから、点火操作と同時にガスバーナへ点火され、該ガスバーナへの早期点火が確保される。又、イグナイタ作動後は、スピーカから音声ガイドや報知音が出力されるから、音声ガイド等が完全に消失する不都合がない。
【０００９】
［請求項５に係る発明］
請求項１又は２に係る発明に於いて、
『前記イグナイタの作動中に作動する圧電ブザーを具備させた』ものでは、イグナイタ作動時にスピーカから異音が生じないと共に、点火動作中であることを報知する音が圧電ブザーから出力され、点火動作中であることの報知が完全に消失する不都合がない。
【発明の効果】
【００１０】
本発明は次の特有の効果を有する。
イグナイタの作動時に生じる電気ノイズの影響がスピーカに伝わらないから、スピーカから異音が生じないと共に、音声ガイドが部分的に途切れる不都合もない。
請求項３に係る発明では、スピーカからの異音の発生防止等の効果が得られるうえに、重要度の高い音声ガイドや報知音が完全に消失する不都合がない。
請求項４に係る発明では、前述のように、ガスバーナへの早期点火が確保できるうえに、音声ガイド等が完全に消失する不都合がない。
請求項５に係る発明では、イグナイタ作動時にスピーカが異音を発生しないと共に圧電ブザーが作動するから、点火動作中であることの報知が完全に消失する不都合がない。
【発明を実施するための最良の形態】
【００１１】
以下に、本発明を実施するための最良の形態について添付図面を参照しながら説明する。
図１は、システムキッチンのカウンタートップ(K)に開設された開口(K1)に落とし込み状態に装着される形式のガスコンロ（ドロップインコンロ）の斜視図である。
コンロ本体(3)の天板(30)にはコンロバーナ(31)(32)(36)が位置していると共に、コンロ本体(3)の正面中央にはグリル装置(2)の扉(21)が配設されている。
【００１２】
前記扉(21)の右側に位置するコンロ操作部(23)には、電源スイッチ(29)とコンロバーナ(31)(32)(36)の点・消火と火力調整の機能を兼備した既述点火操作部たる操作摘み(24)(25)(28)が配設されており、該操作摘み(24)(25)(28)は、押し込み操作の繰り返しによってコンロ操作部(23)から突出した使用状態と、コンロ操作部(23)と面一になった不使用状態との２状態に変化するようになっている。又、操作摘み(24)(25)(28)の下方には、コンロ部の種々の機能をセットする引出し式操作部(39)が設けられている。該引出し式操作部(39)は、後述するグリル用の引出し式操作部(38)と同様にコンロ本体(3)に対して、引き出し・押し込み自在に装着されている。
【００１３】
一方、グリル装置(2)の扉(21)の左側に形成されたグリル用操作部(22)にはグリル用摘み(37)と、その下方の引出し式操作部(38)が設けられている。
前記グリル用の引出し式操作部(38)は、コンロ本体(3)に対して引出し・押し込み自在に装着されており、不使用時には引出し式操作部(38)をコンロ本体(3)に対して押し込んだ収納状態にできるようになっている。
【００１４】
図１に示すように、グリル用の引出し式操作部(38)をコンロ本体(3)から引き出すと、引出し式操作部(38)の内部に設けられたタッチパネル式操作部(380)が現れる。このタッチパネル式操作部(380)には、調理の進捗状況等の種々の音声ガイドの機能を使用状態にする場合に操作する音声スイッチ(45)が配設されており、音声スイッチ(45)を投入すると音声ランプ(450)が点灯する。又、タッチパネル式操作部(380)には、グリル装置(2)を設定時間だけ燃焼させる為の時間設定スイッチ(47)(48)やタイマー表示部(49)、更には、魚の焼き加減や焼成する魚の種類を選択する焼き加減スイッチ(42)や魚種選択スイッチ(41)が設けられている。
【００１５】
図２は、上記ガスコンロのコンロ本体(3)に組み込まれたガス回路及び電気回路の概略図である。
ガス回路(61)に設けられた元弁(62)の下流側は、コンロバーナ(31)(32)(36)とグリルバーナ(34)(34’)への分岐回路(61a)(61b)(61c)(61d)がある。
分岐回路(61a)には開閉弁(31a)と電動バルブ(31b)の組がこの順序で配設されていると共に、分岐回路(61b)(61c)(61d)の各回路にも、開閉弁(32a)(36a)(34a)と電動バルブ(32b)(36b)(34b)の組が各別に配設されている。
【００１６】
一方、コンロバーナ(31)(32)(36)の近傍には、バーナの燃焼を監視する炎検知器(31c)(32c)(36c)と、バーナへ点火用火花を放電する為の点火電極(31d)(32d)(36d)と、更に、鍋(51)(52)(53)の温度を監視する温度センサ(31e)(32e)(36e)が設けられている。
又、グリルバーナ(34)(34’)の近傍にも、炎検知器(34c)(34c’)と点火電極(34d)(34d’)が配設されている。
【００１７】
次に、制御用の電気回路について説明する。
図２に示すように、商用電源(100)からトランス(101)と整流回路(102)で所定電圧の直流電流を作る電源回路(10)には、電源スイッチ(29)が配設されていると共に、該電源スイッチ(29)には、後述する点火用火花の生成に必要な高電圧回路としてのイグナイタ(11)，圧電ブザー(13)，マイクロコンピュータ等から成る制御回路(15)，音声ＩＣ(17)，音声増幅回路(18)が接続されており、該音声増幅回路(18)の出力はスピーカ(19)に印加されている。
【００１８】
制御回路(15)には、コンロバーナ(31)(32)(36)とグリルバーナ(34)(34’)の点・消火と火力調節の機能を兼備した操作摘み(24)(25)(28)やグリル用摘み(37)が接続されており、これら操作摘み(24)(25)(28)やグリル用摘み(37)の回転角度を表す信号が制御回路(15)に入力されるようになっている。又、制御回路(15)には、操作摘み(24)(25)(28)やグリル用摘み(37)で点・消火操作がされたか否か（各操作摘みを押し込み操作したか否か）を検知する点火監視センサ(24a)(28a)(25a)(37a)の信号が入力されている。
【００１９】
制御回路(15)の出力部には、イグナイタ(11)や圧電ブザー(13)をＯＮ・ＯＦＦするスイッチングトランジスタ(11a)(13a)と音声ＩＣ(17)が接続されていると共に、該音声ＩＣ(17)のリセット端子(17a)にも制御回路(15)の信号が印加されている。
音声ＩＣ(17)の音声出力は音声増幅回路(18)で増幅されてスピーカ(19)に入力されていると共に、音声増幅回路(18)の電源回路(10)側にはリレー(12)の常閉出力接点(12a)が挿入されている。
【００２０】
そして、リレー(12)は制御回路(15)でＯＮ・ＯＦＦされるスイッチングトランジスタ(16)のコレクタ回路に挿入されている。従って、制御回路(15)の出力でスイッチングトランジスタ(16)をＯＮにすると、そのコレクタ回路に挿入されたリレー(12)が付勢されてその常閉出力接点(12a)が開放する。よって、音声増幅回路(18)に対して電源回路(10)の電源電圧が印加されなくなり、これより、後述するようにイグナイタ(11)が作動中であってもスピーカ(19)が音声ガイドを出力しない状態（異音を出さない状態でもある）になる。尚、リレー(12)に代えて、電源回路(10)から音声増幅回路(18)への電源電圧を遮断するスイッチングトランジスタを設けても良い。
【００２１】
又、既述したガス回路(61)に設けられた元弁(62)，開閉弁(31a)(32a)(36a)(34a)，電動バルブ(31b)(32b)(36b)(34b)及び、点火電極(31d)(32d)(36d)(34d)(34d’)は制御回路(15)で駆動されるようになっていると共に、鍋(51)(52)(53)の温度を検知する温度センサ(31e)(32e)(36e)や、各バーナの炎を検知する炎検知器(31c)(32c)(36c)(34c)(34c’)の出力は、制御回路(15)で監視されている。
【００２２】
次に、上記ガスコンロの使用の実際を説明する。
コンロバーナ(31)(36)(32)は、夫々、操作摘み(24)(28)(25)で点・消火及び火力調節が行なわれるが、各コンロバーナ(31)(36)(32)の燃焼に伴なう各部の制御態様は同一であるから、コンロバーナ(31)の点・消火及び火力調節に伴なう各部の制御動作を例示的に説明する。
【００２３】
コンロ操作部(23)に配設された操作摘み(24)を、図１の押し込み状態（消火状態）から更に強制的に押し込んで点火操作すると、図示しないバネ機構が働いてこれが前方に突出した状態（図１のグリル用摘み(37)と同様の状態）になる。すると、図２に示した点火監視センサ(24a)が前記押し込み操作（点火操作）を検知し、この検知信号が制御回路(15)に入力され、該制御回路(15)はガス回路(61)と開閉弁(31a)を開弁させ、更に、電動バルブ(31b)を所定開度に維持する。その後、スイッチングトランジスタ(11a)をＯＮにしてイグナイタ(11)を所定時間作動させ、点火電極(31d)からコンロバーナ(31)に点火用の火花を放電して該コンロバーナ(31)を燃焼させる。すると、コンロバーナ(31)の炎を検知する炎検知器(31c)の信号が制御回路(15)で継続的に監視され、これにより、コンロバーナ(31)への点火完了の判断や、燃焼開始後のコンロバーナ(31)の吹き消え等が監視される。
【００２４】
そして、コンロバーナ(31)の燃焼状況に対応した音声ガイドが音声ＩＣ(17)から選択され、これが音声増幅回路(18)で増幅されてスピーカ(19)から出力される。例えば、コンロバーナ(31)への点火が成功すると「左側のコンロバーナ(31)に点火されました」の音声ガイドがスピーカ(19)から出力される一方、コンロバーナ(31)への点火が失敗すると「左側のコンロバーナ(31)への点火に失敗しました」の音声ガイドがスピーカ(19)から出力される。又、鍋(51)の温度を監視する温度センサ(31e)の検知温度が沸騰温度になると「湯沸しが完了しました」の音声ガイドが音声ＩＣ(17)から選択されてスピーカ(19)から出力される。更に、炎検知器(31c)の出力に基づいてコンロバーナ(31)の吹き消えが確認されると、その旨を報知する音声ガイドがスピーカ(19)から出力される。このように、コンロバーナ(31)の燃焼状態等に応じた音声ガイドがスピーカ(19)から出力される。尚、音声ガイドが不要な場合は、音声スイッチ(45)（図１参照）を操作して当該音声ガイドを使用しない状態にセットすればよい。
【００２５】
次に、コンロバーナ(31)の燃焼中に、並行してグリル装置(2)で魚焼を行なう場合、扉(21)を開放してグリル装置(2)内に食材たる魚を収納し、その後、グリル用摘み(37)を上記操作摘み(24)と同様に押し込み操作（点火操作）する。すると、グリル用摘み(37)の押し込み操作（点火操作）が点火監視センサ(37a)で検出され、図２に示すグリルバーナ(34)(34’)用の開閉弁(34a)が開放されると共に電動バルブ(34b)が所定開度に維持される。その後、スイッチングトランジスタ(11a)がＯＮ状態になってイグナイタ(11)が作動し、これにより、点火電極(34d)(34d’)からグリルバーナ(34)(34’)に点火されて魚焼きが開始される。
【００２６】
そして、上記グリルバーナ(34)(34’)への点火時にイグナイタ(11)が作動すると、既述したようにスピーカ(19)が異音等を発する恐れがあるので、これを防止する為、本実施の形態では図３の制御を行なっている。
即ち、図３のステップ(ST21)に於いて、グリル用摘み(37)や操作摘み(24)(28)(25)の何れかによる点火操作がされたか否かを判断し、点火操作がされると、ステップ(ST22)でスイッチングトランジスタ(16)をＯＮにしてリレー(12)の常閉出力接点(12a)を開成し、これにより、音声増幅回路(18)に電源電圧（電源回路(10)の出力）が印加されない状態にし、これにより、スピーカ(19)から音が発生しないようにすると共に、音声ＩＣ(17)をリセットする。又、これと同時にスイッチングトランジスタ(11a)をＯＮにしてイグナイタ(11)を作動させ、点火電極(34d)(34d’)からグリルバーナ(34)(34’)に所定時間だけ火花を放電させて（ステップ(ST23)）該バーナを燃焼させる。
【００２７】
その後、スイッチングトランジスタ(11a)をＯＦＦ状態に復帰させてイグナイタ(11)を停止させる一方、スイッチングトランジスタ(16)をＯＦＦにしてリレー(12)の常閉出力接点(12a)を閉状態に復帰させ、これにより、音声増幅回路(18)に電源電圧を印加して音声ガイドを出力できる状態に戻す（ステップ(ST24)）。
尚、図４の制御は、何れのバーナが燃焼している場合でも、これに続けて他のバーナの点火操作が行なわれたときには実行される。
【００２８】
このように、本実施の形態では、イグナイタ(11)の出力中は音声増幅回路(18)への電源電圧を遮断し、これにより、スピーカ(19)から音声ガイドを出力できないようにしたから、イグナイタ(11)から電気ノイズが発生しても、スピーカ(19)が異音を発したり、又、出力中の音声ガイドが部分的に途切れて欠落するような不都合を未然に防止することができる。
【００２９】
［第２実施形態]
図４は、本発明の第２実施形態のコンロの動作を説明するフローチャートである。コンロの全体構造や、ガス回路及び電気回路は図１，２と同様に構成されている。
このものでは、図４のステップ(ST1)に於いて、グリル用摘み(37)や操作摘み(24)(28)(25)の何れかによる点火操作がされたか否かを判断し、点火操作がされると、ステップ(ST2)で音声ガイドの出力中か否かを判断する。
そして、スピーカ(19)から音声ガイドを出力している途中で点火操作がされたことが確認できると（ステップ(ST2)で「Ｙ」の場合）、ステップ(ST3)で音声ガイドの出力を中止すると共に、出力中の音声ガイドを制御回路(15)のメモリー内に記憶する。具体的には、前記出力中の音声ガイドを特定する為のコード番号を記憶する。
【００３０】
次に、ステップ(ST4)でスイッチングトランジスタ(16)をＯＮにしてリレー(12)の常閉出力接点(12a)を開成し、これにより、音声増幅回路(18)に電源電圧（電源回路(10)の出力）が印加されない状態にし、これにより、スピーカ(19)から音が発生しないようにすると共に、音声ＩＣ(17)をリセットする。又、これと同時にスイッチングトランジスタ(11a)をＯＮにしてイグナイタ(11)を作動させ、これにより、点火電極(34d)(34d’)からグリルバーナ(34)(34’)に所定時間だけ火花を放電させて（ステップ(ST5)）該バーナを燃焼させる。
【００３１】
その後、スイッチングトランジスタ(11a)をＯＦＦ状態に復帰させてイグナイタ(11)を停止させる一方、スイッチングトランジスタ(16)をＯＦＦにしてリレー(12)の常閉出力接点(12a)を閉状態に復帰させ、これにより、音声増幅回路(18)に電源電圧を印加して音声ガイドを出力できる状態に戻す（ステップ(ST6)）。
【００３２】
続いて、ステップ(ST7)を実行し、既述ステップ(ST3)で記憶したコード番号に基づいて、前記出力中断した音声ガイドを音声ＩＣ(17)から選択してこれをスピーカ(19)から出力させる（この場合、中断された音声ガイドであることを表すため、音声ガイドの音量を通常時の音量よりも大きくしてもよい。）。
このものでも、イグナイタ(11)の作動中は音声増幅回路(18)への電源電圧が遮断されるから、前述の実施形態のものと同様、スピーカ(19)が異音を発したり、又、出力中の音声ガイドが部分的に途切れて欠落するような不都合を未然に防止することができる。
【００３３】
［第３実施形態]
次に、第２実施形態について説明する。
図５は、本発明の第２実施形態に係るコンロの動作を説明するフローチャートである。コンロの全体構造や、ガス回路及び電気回路は図１，２と同様に構成されている。
このものでは、図５のステップ(ST11)(ST12)で、音声ガイドの出力中に点火操作されたことが確認されると、ステップ(ST13)で音声ガイドの出力が完了するまで待機し、その後、ステップ(ST14)でスイッチングトランジスタ(16)をＯＮにしてリレー(12)の常閉出力接点(12a)を開成し、これにより、音声増幅回路(18)に電源電圧（電源回路(10)の出力）が印加されない状態にし、スピーカ(19)から音が発生しないようにする。又、これと同時にスイッチングトランジスタ(11a)をＯＮにしてイグナイタ(11)を作動させてバーナへの点火動作を実行する。その後、所定時間待機した後（ステップT制御回路(15)）、イグナイタ(11)を停止させると共に、スイッチングトランジスタ(16)をＯＦＦにしてリレー(12)の常閉出力接点(12a)を閉状態に復帰させ、これにより、音声増幅回路(18)に電源電圧を印加して音声ガイドを出力できる状態に戻す（ステップ(ST16)）。
【００３４】
このものでも、イグナイタ(11)の作動中は音声増幅回路(18)への電源電圧が遮断されるから、前述の実施形態のものと同様、スピーカ(19)が異音を発したり、又、出力中の音声ガイドが部分的に途切れて欠落するような不都合を未然に防止することができる。
【００３５】
[その他]
１．上記各実施の形態では、イグナイタ(11)の作動時には音声増幅回路(18)の電源となる電源回路(10)と音声増幅回路(18)の間の回路を遮断したが、音声増幅回路(18)とスピーカ(19)の間の回路(a)、又はスピーカ(19)からアースに繋がる回路（スピーカ(19)からグランドに繋がる回路）にスイッチを設け、イグナイタ(11)の作動時にはこのスイッチをＯＦＦ状態に維持してもよい。
【００３６】
２．上記第２，第３実施形態では図４、５の動作を各別に実行させるようにした。これに対し、点火動作中であることを表す報知音や、点火が不成功に終わったことを報知する音声ガイドは即時に出力するのが好ましいことから、図５の動作を実行し、報知動作が多少遅れても良い内容の音声ガイドや報知音については、図４の制御を行うようにしてもよい。即ち、音声ガイド等の内容に応じて、図４又は図５の動作を使い分けてもよい。
【００３７】
３．イグナイタ(11)の作動中には、その電気ノイズの影響を受けない圧電ブザー(13)を作動させて点火動作中であることを報知してもよい。このときも音声増幅回路(18)の電源側の常閉出力接点(12a)を開状態に維持することは上記各実施の形態の場合と同様である。
【図面の簡単な説明】
【００３８】
【図１】本発明の実施の形態を説明するコンロの斜視図
【図２】図１のコンロのガス回路及び電気回路の図
【図３】第１実施形態の制御動作を説明するフローチャート
【図４】第２実施形態の制御動作を説明するフローチャート
【図５】第３実施形態の制御動作を説明するフローチャート
【符号の説明】
【００３９】
（11）・・・イグナイタ
（18）・・・音声増幅回路
（19）・・・スピーカ
【図１】
2006078141.tif 000003
【図２】
2006078141.tif 000004
【図３】
2006078141.tif 000005
【図４】
2006078141.tif 000006
【図５】
2006078141.tif 000007